(57)【要約】【課題】レフ板を併用したストロボ発光の撮影において、ストロボ装置とは別にレフ板を準備する必要がないようにすること。【解決手段】ストロボ本体１４に、発光面部２６より前方に突出した使用位置と、発光面部２６より前方に突出しない格納位置との間に移動可能にリフレクタ３０を取り付け、リフレクタ３０とストロボ本体１４とに強磁性体あるいは永久磁石による磁性体３４、３６、３８を取り付け、磁気的吸着によってリフレクタ３０を使用位置あるいは格納位置に保持する。【選択図】図３
2015141381.tif 000002
【特許請求の範囲】
【請求項１】
ストロボ本体の発光面部より前方に突出した使用位置と、前記使用位置より後方に後退した格納位置との間に移動可能に前記ストロボ本体に設けられた板状のリフレクタを有するストロボ装置であって、
前記リフレクタに取り付けられた強磁性体あるいは永久磁石によるリフレクタ側磁性体と、
前記ストロボ本体に取り付けられ、前記リフレクタが前記使用位置と前記格納位置との少なくとも一方の位置に接近することにより、前記リフレクタ側磁性体を磁気的に吸引し、前記リフレクタを前記一方の位置に磁気的吸着によって保持する強磁性体あるいは永久磁石による本体側磁性体とを有するストロボ装置。
【請求項２】
前記リフレクタは、前記ストロボ本体の外壁に沿ってスライド自在に取り付けられ、前記ストロボ本体に対するスライド移動によって前記使用位置と前記格納位置との間に移動し、前記ストロボ本体の外壁と前記リフレクタが前記外壁に対向する面部とに前記本体側磁性体と前記リフレクタ側磁性体とが対向して配置されている請求項１に記載のストロボ装置。
【請求項３】
前記リフレクタが前記一方の位置に位置している状態にある時、前記本体側磁性体と前記リフレクタ側磁性体とが、前記リフレクタのスライド方向であって、前記リフレクタ側磁性体を前記一方の位置の側に磁気的に吸引する方向に互いに偏倚している請求項２に記載のストロボ装置。
【請求項４】
リフレクタ本体の前記外壁に前記リフレクタのスライド方向に延在する突条が突出形成され、前記リフレクタは前記突条に摺動可能に接触している請求項２または３に記載のストロボ装置。
【発明の詳細な説明】
【技術分野】
【０００１】
本発明は、ストロボ装置に関し、更に詳細には、レフ板と呼ばれる板状のリフレクタを具備した写真撮影用のストロボ装置に関する。
【背景技術】
【０００２】
ストロボ装置の強制発光（日中シンクロ）とレフ板とを用いた人物撮影等はしばしば行われる。このような撮影では、レフ板を具備したストロボ装置がないため、ストロボ装置とは別にレフ板を準備する必要がある。
【０００３】
リフレクタに関しては、ストロボ装置本体にリフレクタが着脱可能に取り付けられるストロボ装置が知られている（例えば、特許文献１）。このストロボ装置は、リフレクタがストロボ装置本体に着脱可能に取り付けられるが、リフレクタは放電管の光を前方に反射するものであり、人物撮影等で用いられるレフ板の作用をするものでない。また、リフレクタを使用しない場合には、リフレクタをストロボ装置本体より取り外して別途保管、携帯する必要がある。
【先行技術文献】
【特許文献】
【０００４】
【特許文献１】特開平１０−３０７３１８号公報
【発明の概要】
【発明が解決しようとする課題】
【０００５】
本発明が解決しようとする課題は、レフ板（リフレクタ）を併用したストロボ発光の撮影において、ストロボ装置とは別にレフ板を準備する必要がないようにすることである。
【課題を解決するための手段】
【０００６】
本発明によるストロボ装置は、ストロボ本体（１４）の発光面部（２６）より前方に突出した使用位置と、使用位置より後方に後退した格納位置との間に移動可能に前記ストロボ本体（１４）に設けられた板状のリフレクタ（３０）を有するストロボ装置（１０）であって、前記リフレクタ（３０）に取り付けられた強磁性体あるいは永久磁石によるリフレクタ側磁性体（３４）と、前記ストロボ本体（１４）に取り付けられ、前記リフレクタ（３０）が前記使用位置と前記格納位置との少なくとも一方の位置に接近することにより、前記リフレクタ側磁性体（３４）を磁気的に吸引し、前記リフレクタ（３０）を前記一方の位置に磁気的吸着によって保持する強磁性体あるいは永久磁石による本体側磁性体（３６、３８）とを有する。
【０００７】
この構成によれば、ストロボ本体（１４）にリフレクタ（３０）が使用位置と格納位置との間に移動可能に取り付けられているので、レフ板（リフレクタ）を併用したストロボ発光の撮影において、ストロボ装置とは別にレフ板を準備する必要がなく、レフ板を使用しない撮影時には、リフレクタ（３０）を格納位置に移動させることにより、リフレクタ（３０）が邪魔になったり、嵩張ったりすることがない。そのうえで、リフレクタ側磁性体（３４）と本体側磁性体（３６、３８）との磁気的吸着によってリフレクタ（３０）が使用位置と格納位置の少なくとも何れか一方に保持されるので、リフレクタ（３０）の使用時に、リフレクタ（３０）が不用意に格納位置側に動いたり、リフレクタ（３０）が使用されない時に、リフレクタ（３０）が不用意にストロボ本体（１４）の前方に張り出したりすることがない。
【０００８】
本発明によるストロボ装置は、好ましくは、前記リフレクタ（３０）は、前記ストロボ本体（１４）の外壁（１４Ａ）に沿ってスライド自在に取り付けられ、前記ストロボ本体（１４）に対するスライド移動によって前記使用位置と前記格納位置との間に移動し、前記ストロボ本体（１４）の外壁（１４Ａ）と前記リフレクタ（３０）が前記外壁（１４Ａ）に対向する面部とに前記本体側磁性体（３６、３８）と前記リフレクタ側磁性体（３４）とが対向して配置されている。
【０００９】
この構成によれば、リフレクタ（３０）のスライド移動によって本体側磁性体（３６、３８）とリフレクタ側磁性体（３４）との対向間隔が変化するものでなく、リフレクタ（３０）のスライド移動によって本体側磁性体（３６、３８）とリフレクタ側磁性体（３４）とが剪断方向にずれ、リフレクタ（３０）が使用位置あるいは格納位置に近付くと、リフレクタ側磁性体（３４）が本体側磁性体（３６、３８）に接近することにより、リフレクタ側磁性体（３４）が本体側磁性体（３６、３８）に磁気的に吸引され、リフレクタ（３０）が自ずと使用位置あるいは格納位置に位置する。
【００１０】
本発明によるストロボ装置は、好ましくは、前記リフレクタ（３０）が前記一方の位置に位置している状態にある時、前記本体側磁性体（３６、３８）と前記リフレクタ側磁性体（３４）とが、前記リフレクタ（３０）のスライド方向であって、前記リフレクタ側磁性体（３４）を前記一方の位置の側に磁気的に吸引する方向に互いに偏倚している。
【００１１】
この構成によれば、リフレクタ（３０）が使用位置あるいは格納位置に位置していても、その位置を保つ側のスライド力がリフレクタ（３０）に常時作用する。
【００１２】
本発明によるストロボ装置は、好ましくは、リフレクタ本体（１４）の前記外壁（１４Ａ）に前記リフレクタ（３０）のスライド方向に延在する突条（３２Ｄ）が突出形成され、前記リフレクタ（３０）は前記突条（３２Ｄ）に摺動可能に接触している。
【００１３】
この構成によれば、リフレクタ３０のスライド移動が低い摩擦抵抗のもとに行われる。
【発明の効果】
【００１４】
本発明によるストロボ装置によれば、ストロボ本体にリフレクタが使用位置と格納位置との間に移動可能に取り付けられているので、レフ板（リフレクタ）を併用したストロボ発光の撮影において、ストロボ装置とは別にレフ板を準備する必要がなく、レフ板を使用しない撮影時には、リフレクタを格納位置に移動させることにより、リフレクタが邪魔になったり、嵩張ったりすることがない。
【図面の簡単な説明】
【００１５】
【図１】本発明によるストロボ装置の一つの実施形態を前側から見た斜視図。
【図２】本実施形態によるストロボ装置の後側から見た斜視図。
【図３】本実施形態によるストロボ装置のリフレクタが格納位置にある状態を示す部分断面側面図。
【図４】本実施形態によるストロボ装置のリフレクタが使用位置にある状態を示す部分断面側面図。
【図５】本実施形態によるストロボ装置の要部の正面図。
【図６】他の実施形態によるストロボ装置のリフレクタが格納位置にある状態を示す部分断面側面図。
【図７】他の実施形態によるストロボ装置のリフレクタが使用位置にある状態を示す部分断面側面図。
【発明を実施するための形態】
【００１６】
以下に、本発明によるストロボ装置の一つの実施形態を、図１〜図５を参照して説明する。
【００１７】
図１、図２に示されているように、ストロボ装置１０は、下部ストロボ本体１２と、下部ストロボ本体１２の上部に垂直軸線と水平軸線との双方の軸線周りに回動可能に取り付けられた上部ストロボ本体１４とを有する。
【００１８】
下部ストロボ本体１２は、下底部にカメラ（不図示）との取付部１６を有し、電池ケースや電気部品、制御基板等を内蔵している。下部ストロボ本体１２の背面部には、電源スイッチボタン１８、電源ランプ２０、モード選択ダイヤル２２、数値設定ダイヤル２４が取り付けられている。
【００１９】
上部ストロボ本体１４は、キセノン放電管等の閃光光源を内蔵しており、前部にフレネルレンズ等による発光面部２６を有する。上部ストロボ本体１４には、発光面部２６の下部側に格納可能な広角拡散パネル２８と、発光面部２６の上部側に格納可能な板状のリフレクタ（レフ板）３０とが取り付けられている。
【００２０】
つぎに、図３〜図５を参照してリフレクタ３０について詳細に説明する。リフレクタ３０は平面形状が矩形の平板状のものであり、下底面に後側部分を残して装着された白色の反射薄板３１を含んでいる。上部ストロボ本体１４の上壁部１４Ａの上面側にはリフレクタ３０と略同一の平面形状の上方開放の凹部３２が形成されており、凹部３２にリフレクタ３０が前後方向にスライド可能に設けられている。
【００２１】
リフレクタ３０の左右の外側縁部は互いに平行に前後方向に延在しており、当該外側縁部には前後方向に長い直線案内突条部３０Ａが形成されている。凹部３２の左右の側壁部は互いに平行に前後方向に延在しており、当該側壁部には前後方向に長い直線案内凹溝部３２Ａが形成されている。直線案内突条部３０Ａは直線案内凹溝部３２Ａに摺動可能に係合している。この係合によってリフレクタ３０の前後方向のスライド移動がスキューのない平行移動になるように案内される。
【００２２】
凹部３２の底壁部には、リフレクタ３０のスライド方向（前後方向）に延在する突条３２Ｄ（図５参照）が左右方向に間隔をおいて、つまり後述するストッパ案内凹溝部３２Ｂの左右両側に各々突出形成されている。リフレクタ３０の下底面は、直線案内凹溝部３２Ａの底面と突条３２Ｄにおいてのみ上部ストロボ本体１４に対して摺動可能に接触している。これにより、リフレクタ３０のスライド移動が低い摩擦抵抗のもとに行われる。
【００２３】
リフレクタ３０の下底部の後側部分（反射薄板３１が取り付けられていない部分）の左右の外側縁部間の中間部、つまりリフレクタ３０の左右幅方向の１／２の部位には、ストッパ突起部３０Ｂが形成されている。凹部３２の底部の左右幅方向の１／２の部位には、前後方向に長いストッパ案内凹溝部３２Ｂが形成されている。ストッパ突起部３０Ｂは、ストッパ案内凹溝部３２Ｂに摺動可能に係合しており、ストッパ案内凹溝部３２Ｂの前側の端壁部（不図示）に当接することによってリフレクタ３０の前側へのスライド移動を規制していている。
【００２４】
ストッパ突起部３０Ｂがストッパ案内凹溝部３２Ｂの前側の溝端壁部に当接することにより決まるリフレクタ３０の最前進位置は、反射薄板３１の略全体が発光面部２６より前方に突出したリフレクタ３０の使用位置（図４参照）である。
【００２５】
リフレクタ３０の最後退位置は、リフレクタ３０の後側の端壁部３０Ｃが凹部３２の後側の端壁部３２Ｃに当接することにより決まる。この最後退位置は、リフレクタ３０が上部ストロボ本体１４より前方に突出することがなく、リフレクタ３０の全体が凹部３２内に位置する格納位置である。この格納位置は使用位置より後方に後退した位置であることは云うまでもない。
【００２６】
このようにリフレクタ３０が格納されることにより、リフレクタ３０が使用されない場合に、リフレクタ３０が邪魔になったり、嵩張ったりすることがない。また、このリフレクタ３０の格納状態では、反射薄板３１が外部に露呈することがないので、不使用時に白色の反射薄板３１が他の物に触れるなどして汚れることが必然的に防止される。つまり、反射薄板３１の保護がなされる。
【００２７】
リフレクタ３０の上部には、リフレクタ３０を指先によって使用位置と格納位置との間にスライド移動させる際に、指先の滑りになる突条部３０Ｄが形成されている。
【００２８】
リフレクタ３０の下底部の後側部分（反射薄板３１が取り付けられていない部分）には、一方の磁極（例えばＳ極）がリフレクタ３０の下底部より外部に露呈するように小粒形状（短尺円柱形状）のリフレクタ側永久磁石３４が埋め込み装着されている。
【００２９】
上部ストロボ本体１４の凹部３２の底壁部には、図４に示されているように、リフレクタ３０が使用位置に位置した状態の時にリフレクタ側永久磁石３４に正対する位置に、他方の磁極（例えばＮ極）が凹部３２の底壁部より外部に露呈するように小粒形状（短尺円柱形状）の使用位置側永久磁石（本体側永久磁石）３６が埋め込み装着されている。
【００３０】
また、上部ストロボ本体１４の凹部３２の底壁部には、図３に示されているように、リフレクタ３０が格納位置に位置した状態の時にリフレクタ側永久磁石３４に正対する位置に、他方の磁極（例えばＮ極）が凹部３２の底壁部より外部に露呈するように小粒形状（短尺円柱形状）の格納位置側永久磁石（本体側永久磁石）３８が埋め込み装着されている。
【００３１】
これにより、リフレクタ側永久磁石３４と使用位置側永久磁石３６および格納位置側永久磁石３８とは、上部ストロボ本体１４の外壁とリフレクタ３０が上部ストロボ本体１４の前記外壁に上下に対向する面部とに互い対向して配置され、リフレクタ３０のスライド移動によって互いの磁極面がリフレクタ３０のスライド方向にずれること、つまり磁極面が剪断方向にずれることになる。
【００３２】
この動作の下に、使用位置側永久磁石３６は、リフレクタ３０がスライド移動によって使用位置に接近することにより、リフレクタ側永久磁石３４を使用位置側に磁気的に吸引し、格納位置側永久磁石３８は、リフレクタ３０がスライド移動によって格納位置に接近することにより、リフレクタ側永久磁石３４を格納作位置側に磁気的に吸引する。
【００３３】
リフレクタ側永久磁石３４と使用位置側永久磁石３６と格納位置側永久磁石３８とは、各々、ストッパ突起部３０Ｂあるいはストッパ案内凹溝部３２Ｂの左右両側に、リフレクタ３０のスライド方向で見て同一位置に２個ずつ設けられている。
【００３４】
上述の構成によれば、リフレクタ３０が、図３に示されているように、格納位置にある時には、リフレクタ側永久磁石３４が格納位置側永久磁石３８に上下に正対し、リフレクタ側永久磁石３４と格納位置側永久磁石３８とが互いに磁気的に吸着し合う。この磁気的吸着によってリフレクタ３０が上部ストロボ本体１４に対して格納位置に保持され、リフレクタ３０は、磁気的吸着による保持力に打ち勝つスライド力（リフレクタ３０を前側にスライドさせる力）が作用しない限り、がたつき等を生じることなく格納位置に安定して位置する。これにより、リフレクタ３０が使用されない時に、リフレクタ３０が無闇にまた不用意に上部ストロボ本体１４の前方に張り出すことがない。
【００３５】
リフレクタ３０の使用に際して、リフレクタ３０を格納位置より使用位置に移動させる場合は、指先によってリフレクタ３０を前側にスライドさせる力をリフレクタ３０に与える。この際、突条部３０Ｄをもってスライド力をリフレクタ３０に与えることにより、指先が滑ることなくスライド力をリフレクタ３０に的確に与えることができる。
【００３６】
前側へのスライド力が、リフレクタ側永久磁石３４と格納位置側永久磁石３８との磁気的吸着による保持力に打ち勝つことにより、リフレクタ側永久磁石３４と格納位置側永久磁石３８とが離間して磁気的吸着が消滅しつつリフレクタ３０が前側にスライド移動する。
【００３７】
前側へのスライド移動によってリフレクタ３０が使用位置に近付くと、リフレクタ側永久磁石３４が使用位置側永久磁石３６に接近することにより、リフレクタ側永久磁石３４が使用位置側永久磁石３６に磁気的に吸引される。この磁気的吸引力によって、リフレクタ側永久磁石３４が使用位置側永久磁石３６に上下に正対する位置までリフレクタ３０が前側にスライド移動し、リフレクタ３０が自ずと図４に示されている使用位置に位置する。この動作は、リフレクタ３０のスライド移動が低摩擦抵抗のもとに行われることにより、効果的に行われる。
【００３８】
これにより、リフレクタ３０を使用位置近くまでスライドさせるたけで、リフレクタ３０は必ず使用位置に位置することになり、使い勝手のよいものになる。
【００３９】
リフレクタ３０が、図４に示されているように、使用位置に位置すると、リフレクタ側永久磁石３４が使用位置側永久磁石３６に上下に正対し、リフレクタ側永久磁石３４と使用位置側永久磁石３６とが互いに磁気的に吸着し合う。この磁気的吸着によってリフレクタ３０が上部ストロボ本体１４に対して使用位置に保持され、リフレクタ３０は、磁気的吸着による保持力に打ち勝つスライド力（リフレクタ３０を後側にスライドさせる力）が作用しない限り、がたつき等を生じることなく使用位置に安定して位置する。これにより、リフレクタ３０の使用時に、リフレクタ３０が上部ストロボ本体１４に対して無闇にまた不用意に格納位置側に動くことがない。
【００４０】
リフレクタ３０を格納位置に戻す際には、指先によってリフレクタ３０を前側にスライドさせる力をリフレクタ３０に与える。この際も、突条部３０Ｄをもってスライド力をリフレクタ３０に与えることにより、指先が滑ることなくスライド力をリフレクタ３０に的確に与えることができる。
【００４１】
後側へのスライド力が、リフレクタ側永久磁石３４と使用位置側永久磁石３６との磁気的吸着による保持力に打ち勝つことにより、リフレクタ側永久磁石３４と格納位置側永久磁石３８とが離間して磁気的吸着が消滅しつつリフレクタ３０が後側にスライド移動する。
【００４２】
後側へのスライド移動によってリフレクタ３０が格納位置に近付くと、リフレクタ側永久磁石３４が格納位置側永久磁石３８に接近することにより、リフレクタ側永久磁石３４が格納位置側永久磁石３８に磁気的に吸引される。この磁気的吸引力によって、リフレクタ側永久磁石３４が格納位置側永久磁石３８に上下に正対する位置までリフレクタ３０が前側にスライド移動し、リフレクタ３０が自ずと図３に示されている格納位置に位置する。この動作も、リフレクタ３０のスライド移動が低摩擦抵抗のもとに行われることにより、効果的に行われる。
【００４３】
これにより、リフレクタ３０を格納位置近くまでスライドさせるたけで、リフレクタ３０は必ず格納位置に位置することになり、使い勝手のよいものになる。
【００４４】
上述したように、本実施形態のストロボ装置１０では、リフレクタ３０を格納位置および使用位置に保持することが、各々、磁気的吸着によって行われるので、機械的クリック等とは違って摩耗や機械的係合（衝撃）を伴うことなく行われ、リフレクタ３０の操作感が滑らかで、高級感を出すことができる。
【００４５】
また、リフレクタ側永久磁石３４と使用位置側永久磁石３６と格納位置側永久磁石３８とは、各々、ストッパ突起部３０Ｂあるいはストッパ案内凹溝部３２Ｂの左右両側に、リフレクタ３０のスライド方向で見て同一位置に２個ずつ設けられているから、リフレクタ側永久磁石３４と格納位置側永久磁石３８とが磁気的吸着している格納位置と、リフレクタ側永久磁石３４と格納位置側永久磁石３８とが磁気的吸着している使用位置との何れにおいても、リフレクタ３０を、上部ストロボ本体１４に対してスキューさせる方向の磁気的吸着力がリフレクタ３０に作用することがない。
【００４６】
これにより、リフレクタ３０は、格納位置と使用位置との何れにおいても、上部ストロボ本体１４に対してスキュー変位を生じることなく正常な平行移動姿勢を保つことになる。
【００４７】
次に、本発明によるストロボ装置の他の実施形態を、図６、図７を参照して説明する。なお、図６、図７において、図３、図４に対応する部分は、図３、図４に付した符号と同一の符号を付けて、その説明を省略する。
【００４８】
本実施形態では、図７に示されているように、リフレクタ３０が使用位置に位置している時に、使用位置側永久磁石３６とリフレクタ側永久磁石３４とが、リフレクタ３０のスライド方向であって、使用位置側永久磁石３６がリフレクタ側永久磁石３４を使用位置側に磁気的に吸引する方向に間隔ａをもって互いに偏倚している。
【００４９】
また、図６に示されているように、リフレクタ３０が格納位置に位置している時に、格納位置側永久磁石３８とリフレクタ側永久磁石３４とが、リフレクタ３０のスライド方向であって、格納位置側永久磁石３８がリフレクタ側永久磁石３４を格納位置側に磁気的に吸引する方向に間隔ｂをもって互いに偏倚している。
【００５０】
この構成によれば、リフレクタ３０が使用位置に位置している時には、使用位置側永久磁石３６がリフレクタ側永久磁石３４を使用位置側に磁気的に吸引するので、リフレクタ３０を使用位置に向けてスライド力が常時作用する。これにより、リフレクタ３０が使用位置に位置することが、より一層安定する。
【００５１】
また、リフレクタ３０が格納位置に位置している時には、格納位置側永久磁石３８がリフレクタ側永久磁石３４を格納位置側に磁気的に吸引するので、リフレクタ３０を格納位置に向けて付勢するスライド力が常時作用する。これにより、リフレクタ３０が格納位置に位置することが、より一層安定する。
【００５２】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００５３】
例えば、上述の実施形態のように、ストロボ本体側の磁性体とリフレクタ側の磁性体の双方を永久磁石にすれば、所要の磁気的吸着力を得る上で個々の永久磁石を小型化できるが、必ずしも双方が永久磁石でなくてもよく、一方が永久磁石で、他方が鉄等の強磁性体により構成されていてもよい。また、磁気的吸着は、使用位置と格納位置との何れか一方だけであってもよい。また、リフレクタ３０は上部ストロボ本体１４の下部に配置されていてもよい。
【００５４】
また、上記実施形態に示した構成要素は必ずしも全てが必須なものではなく、本発明の趣旨を逸脱しない限りにおいて適宜取捨選択することが可能である。
【符号の説明】
【００５５】
１０    ストロボ装置
１２    下部ストロボ本体
１４    上部ストロボ本体
２６    発光面部
３０    リフレクタ
３１    反射薄板
３４    リフレクタ側永久磁石
３６    使用位置側永久磁石
３８    格納位置側永久磁石
【図１】
2015141381.tif 000003
【図２】
2015141381.tif 000004
【図３】
2015141381.tif 000005
【図４】
2015141381.tif 000006
【図５】
2015141381.tif 000007
【図６】
2015141381.tif 000008
【図７】
2015141381.tif 000009